(57)【要約】本発明は、バッグ本体を左右方向に縮小されるように多段に折り畳むことができるようにして、バッグを折り畳んで保管する場合にバッグ本体の折畳体積を最小限に抑えることができる布製バッグ及びその布製バッグの製造方法に関する。本発明に係る布製バッグは、製織されて前方に配置され、左右間隔を置いて内側縦折曲溝と外側縦折曲溝とが交互に形成される長方形状の前方本体生地を含み、前方本体生地の下部には、下部折畳部が延長されるように製織され、下部折畳部の後方には、前記前方本体生地と対称になるように左右間隔を置いて内側縦折曲溝と外側縦折曲溝とが交互に形成される長方形状の後方本体生地が延長されるように製織される本体生地と；前記本体生地の下部折畳部を折り畳み、折り畳まれた本体生地の両側端部が側縫製部で縫製されて製造されるバッグ本体と；前記後方本体生地の開放端部の両側から一体に延長されるように製織され、それぞれの端部が前記前方本体生地の開放端部の両側に紐縫製部で縫製連結されるように備えられた両側の持ち手紐と；を含むことを特徴とする。【選択図】図１
2021517833.tif 000002
【特許請求の範囲】
【請求項１】
製織されて前方に配置され、左右間隔を置いて内側縦折曲溝と外側縦折曲溝とが交互に形成される長方形状の前方本体生地を含み、前記前方本体生地の下部には、下部折畳部が延長されるように製織され、前記下部折畳部の後方には、前記前方本体生地と対称になるように左右間隔を置いて内側縦折曲溝と外側縦折曲溝とが交互に形成される長方形状の後方本体生地が延長されるように製織される本体生地と；
前記本体生地の前記下部折畳部を折り畳み、折り畳まれた前記本体生地の両側端部が側縫製部で縫製されて製造されるバッグ本体と；
前記後方本体生地の開放端部の両側から一体に延長されるように製織され、それぞれの端部が前記前方本体生地の開放端部の両側に紐縫製部で縫製連結されるように備えられた両側の持ち手紐と；を含み、
前記下部折畳部は、
前、後方本体生地に互いに対向するように位置する内側縦折曲溝同士の間に縦方向に製織されるように形成される下部外側縦折曲溝と、
前記前、後方本体生地に互いに対向するように位置する外側縦折曲溝同士の間である互いに出会う位置に形成される内側折曲溝部と、
各前記下部外側縦折曲溝の各端とすぐ隣に隣接する前記内側折曲溝部との間に形成される内側傾斜折曲溝と、を含むことを特徴とする布製バッグ。
【請求項２】
各前記持ち手紐の左右方向の中央に長さ方向に内側縦折曲溝がさらに製織されて形成されることを特徴とする、請求項１に記載の布製バッグ。
【請求項３】
左右間隔を置いて内側縦折曲溝と外側縦折曲溝とが交互に形成される長方形状の前方本体生地を製織し、前記前方本体生地の後方に下部折畳部を製織し、前記下部折畳部の後方に前記前方本体生地と対称になるように左右間隔を置いて内側縦折曲溝と外側縦折曲溝とが交互に形成される長方形状の後方本体生地を製織して本体生地を製造する本体生地製造ステップと、
前記本体生地製造ステップで製織された前記本体生地の後方端の両側に前記本体生地から後方に長く延長される２つの持ち手紐を前記本体生地と一体に製織する両側持ち手紐製織ステップと、
前記本体生地の前記下部折畳部を折り畳み、折り畳まれた前記本体生地の両側端部を縫製してバッグ本体を製造するバッグ本体製造ステップと、
前記後方本体生地の後方端部の両側に備えられた両側の各前記持ち手紐の端部を前記前方本体生地の前方端部であるバッグ開放端部の両側に紐縫製部で縫製する持ち手紐縫製ステップとを含み、
前記下部折畳部は、
前、後方本体生地に互いに対向するように位置する内側縦折曲溝同士の間に縦方向に製織されるように形成される下部外側縦折曲溝と、
前記前、後方本体生地に互いに対向するように位置する外側縦折曲溝同士の間である互いに出会う位置に形成される内側折曲溝部と、
各前記下部外側縦折曲溝の各端とすぐ隣に隣接する前記内側折曲溝部との間に形成される内側傾斜折曲溝と、を含むことを特徴とする、布製バッグの製造方法。
【請求項４】
前記両側持ち手紐製織ステップでは、
各前記持ち手紐の左右方向の中央に前記持ち手紐が折り畳まれるように長さ方向に内側縦折曲溝をさらに形成することを特徴とする、請求項３に記載の布製バッグの製造方法。
【発明の詳細な説明】
【技術分野】
【０００１】
本発明は、布製バッグ及びその布製バッグの製造方法に係り、より詳細には、バッグ本体を左右方向に縮小されるように多段に折り畳むことができるようにして、バッグを折り畳んで保管する場合にバッグ本体の折畳体積を最小限に抑えることができる布製バッグ及びその布製バッグの製造方法に関する。
【背景技術】
【０００２】
一般に、バッグは、物を保管して運ぶのに使用するもので、革またはビニールなどで作られる。また、バッグは、上部に持ち手紐が付いており、手で持ち運んだり片方の肩に掛けたりするバッグや、両サイドに肩ひもが付いており、肩に掛けるバッグが代表的に知られている。
【０００３】
次に、上部に持ち手紐が付いているバッグのうち、布製バッグの製造方法について説明する。
【０００４】
図７に示すように、従来の方法で布によってバッグを製造する場合には、まず、横糸と縦糸とを製織して長方形のバッグ本体生地を製造するバッグ本体生地製造ステップ（２０１）を行う。
【０００５】
次に、横糸と縦糸とを組み合わせて織ることにより、長さの長い二つの持ち手紐を製造する二つの持ち手紐製造ステップ（２０２）を行う。
【０００６】
その後、長方形の布製生地の中央を折り畳み、折り畳まれた布製生地の両側端部を縫製してバッグ本体を製造するバッグ本体製造ステップ（２０３）を行う。
【０００７】
次に、前記本体生地の前方生地の上部両側に２つの各持ち手紐の前方端部を紐縫製部によって縫製固定し、バッグ本体生地の後方生地の上部両側に２つの各持ち手紐の後方端部を紐縫製部によって縫製固定する各持ち手紐の前、後方端部の縫製ステップ（２０４）によって布製バッグを製造するのである。
【０００８】
ところが、上述したように製造される従来の布製生地バッグは、バッグ本体の生地が平坦に構成されることにより、バッグを収納して保管する場合には、バッグ本体を適当に重ねられるように折り畳んで保管する。
【０００９】
したがって、従来の布製バッグを折り畳んで保管する場合には、バッグ本体を適当に重ねられるように折り畳んで保管することにより、折り畳まれたバッグの体積が大きいので、大きい保管空間を占めるという問題点がある。
【００１０】
また、上述したように折り畳まれて保管された従来の布製バッグを使用する場合には、バッグ本体に醜く任意の折り畳み線が生じるという問題点もある。
【００１１】
また、上述したように製造される従来の布製バッグは、バッグ本体と分離されるように二つの持ち手紐を別途製造した後、各持ち手紐の前、後方端部をバッグ本体に２回の縫製によって固定することにより、各持ち手紐の固定時間が長くかかってバッグの生産性が低下するという問題点もある。
【発明の概要】
【発明が解決しようとする課題】
【００１２】
そこで、本発明は、上述した従来の諸般問題点を解消するためになされたもので、その目的は、バッグ本体を左右方向に縮小されるように多段に折り畳めることができるようにすることにより、バッグを折り畳んで保管する場合にバッグ本体の折畳体積を最小限に抑えることができるようにする布製バッグ及びその布製バッグの製造方法を提供することにある。
【００１３】
また、本発明の他の目的は、バッグ本体を左右方向に縮小されるように多段に折り畳む場合に、バッグ本体に縦方向に形成された内、外側縦折曲溝が折り畳まれるようにすることにより、バッグを広げて使用する場合には、醜い任意の傾斜した折り畳み線が形成されることを防止することができるようにする布製バッグ及びその布製バッグの製造方法を提供することにある。
【００１４】
また、本発明の別の目的は、バッグ本体に両側の持ち手紐を一体に製織して備え、各持ち手紐の端部を一回のみの縫製によってバッグ本体に固定することにより、各持ち手紐の縫製時間を短縮することができるようにする布製バッグ及びその布製バッグの製造方法を提供することにある。
【課題を解決するための手段】
【００１５】
上記目的を達成するための本発明に係る「布製バッグ」は、製織されて前方に配置され、左右間隔を置いて内側縦折曲溝と外側縦折曲溝とが交互に形成される長方形状の前方本体生地を含み、前方本体生地の下部には下部折畳部が延長されるように製織され、下部折畳部の後方には、前記前方本体生地と対称になるように左右間隔を置いて内側縦折曲溝と外側縦折曲溝とが交互に形成される長方形状の後方本体生地が延長されるように製織される本体生地と；前記本体生地の下部折畳部を折り畳み、折り畳まれた本体生地の両側端部が側縫製部で縫製されて製造されるバッグ本体と；前記後方本体生地の開放端部の両側から一体に延長されるように製織され、それぞれの端部が前記前方本体生地の開放端部の両側に紐縫製部で縫製連結されるように備えられた両側の持ち手紐と；を含むことを特徴とする。
【００１６】
また、本発明に係る「布製バッグの製造方法」は、左右間隔を置いて内側縦折曲溝と外側縦折曲溝とが交互に形成される長方形状の前方本体生地を製織し、前方本体生地の後方に下部折畳部を製織し、下部折畳部の後方に前記前方本体生地と対称になるように左右間隔を置いて内側縦折曲溝と外側縦折曲溝とが交互に形成される長方形状の後方本体生地を製織して本体生地を製造する本体生地製造ステップと；前記本体生地製造ステップで製織された本体生地の後方端の両側に本体生地から後方に長く延長される２つの持ち手紐を本体生地と一体に製織する両側持ち手紐製織ステップと；前記本体生地の下部折畳部を折り畳み、折り畳まれた本体生地の両側端部を縫製してバッグ本体を製造するバッグ本体製造ステップと；前記後方本体生地の後方端部の両側に備えられた両側の各持ち手紐の端部を前記前方本体生地の前方端部であるバッグ開放端部の両側に紐縫製部で縫製する持ち手紐縫製ステップと；を含むことを特徴とする。
【発明の効果】
【００１７】
上述したように構成された本発明は、バッグ本体を左右方向に縮小されるように多段に折り畳むことができるようにすることにより、バッグを折り畳んで保管する場合にバッグ本体の折畳体積を最小限に抑えるので、バッグの収納保管時にバッグ保管空間の使用体積を最小限に抑えることができるという効果がある。
【００１８】
また、本発明は、バッグ本体を左右方向に縮小されるように多段に折り畳む場合にバッグ本体に縦方向に形成された内、外側縦折曲溝が折り畳まれるようにすることにより、バッグを広げて使用する場合には、醜い任意の傾斜した折り畳み線が形成されることを防止するという効果もある。
【００１９】
また、本発明は、バッグ本体に両側の持ち手紐を一体に製織して備え、各持ち手紐の端部を一回のみの縫製によってバッグ本体に固定して各持ち手紐の縫製時間を短縮することにより、バッグの生産性を向上させることができるという効果もある。
【図面の簡単な説明】
【００２０】
【図１】本発明に係る布製バッグの製造方法を示す工程図である。
【図２ａ】本発明に係る布製バッグの製造方法中の本体生地製造ステップ（１０１）と両側持ち手紐製織ステップ（１０２）を示すもので、本体生地の内面を上方からみた平面図である。
【図２ｂ】本発明に係る布製バッグの製造方法中の本体生地製造ステップ（１０１）と両側持ち手紐製織ステップ（１０２）を示すもので、本体生地の下部折畳部を外方からみた拡大斜視図である。
【図３】本発明のバッグ本体製造ステップ（１０３）を示す正面図である。
【図４】本発明の持ち手紐縫製ステップ（１０４）を示す正面図である。
【図５】本発明に係る布製バッグを示す斜視図である。
【図６】本発明に係る布製バッグを左右方向に縮小されるように折り畳んで保管する状態を示す正面図である。
【図７】従来の布製バッグの製造方法を示す工程図である。
【発明を実施するための形態】
【００２１】
以下、本発明の好適な実施形態を添付図面を参照してより詳細に説明する。しかし、本発明は、多数の異なる形態で実現でき、記述された実施形態に限定されないことを理解すべきである。
【００２２】
図１は本発明に係る布製バッグの製造方法を示す工程図である。図２ａ及び図２ｂは本発明に係る布製バッグの製造方法中の本体生地製造ステップ（１０１）と両側持ち手紐製織ステップ（１０２）を示す図であり、図３は本発明のバッグ本体製造ステップ（１０３）を示す正面図であり、図４は本発明の手持ち紐縫製ステップ（１０４）を示す正面図である。また、図５は本発明に係る布製バッグを示す斜視図であり、図６は本発明に係る布製バッグを左右方向に縮小されるように折り畳んで保管する状態を示す正面図である。
【００２３】
図示の如く、本発明に係る布製バッグの製造方法は、まず、左右間隔を置いて内側縦折曲溝Ｇ１と外側縦折曲溝Ｇ２とが交互に形成される長方形状の前方本体生地１１を製織し、前方本体生地１１の後方に下部折畳部１２を製織し、下部折畳部１２の後方に前記前方本体生地１１と対称になるように左右間隔を置いて内側縦折曲溝Ｇ１と外側縦折曲溝Ｇ２とが交互に形成される長方形状の後方本体生地１３を製織して本体生地１を製造する本体生地製造ステップ（１０１）（図２ａ、ｂを参照）を行う。
【００２４】
前記本体生地製造ステップ（１０１）で製織される下部折畳部１２は、前、後方本体生地１１、１３に互いに対向するように位置する内側縦折曲溝Ｇ１同士の間に縦方向に製織されるように形成される下部外側縦折曲溝Ｇ３と、前記前、後方本体生地１１、１３に互いに対向するように位置する外側縦折曲溝Ｇ２同士の間である互いに出会う位置に形成される内側折曲溝部Ｇ４とを含む。
【００２５】
また、前記下部折畳部１２は、下部折畳部１２の前方と後方に円滑に折り畳まれるように、各下部外側縦折曲溝Ｇ３の各端とすぐ隣に隣接する前記内側折曲溝部Ｇ４との間に形成される内側傾斜折曲溝Ｇ５をさらに含む。
【００２６】
特に、前記内側縦折曲溝Ｇ１、外側縦折曲溝Ｇ２、下部外側縦折曲溝Ｇ３、内側折曲溝部Ｇ４、内側傾斜折曲溝Ｇ５は、布製生地を製織しながら縦糸または横糸の供給を調整することにより、それぞれの折曲溝や折曲溝部を形成するものであるが、このような折曲溝や折曲溝部を形成する製織方法は、既に公知になっているもので、その具体的な説明は省略する。
【００２７】
その後、前記本体生地製造ステップ（１０１）を行った後には、前記本体生地製造ステップ（１０１）で製織された本体生地１の後方端の両側に本体生地１から後方に長く延長される二つの持ち手紐３を本体生地１と一体に製織する両側持ち手紐製織ステップ（１０２）を行う。
【００２８】
また、前記両側持ち手紐の製織ステップ（１０２）では、各手持ち紐３の左右方向の中央に手持ち紐３が折れるように長さ方向に内側縦折曲溝Ｇ１をさらに製織して形成することもできる。
【００２９】
次いで、前記本体生地１の下部折畳部１２を折り畳み、折り畳まれた本体生地１の両側端部を縫製してバッグ本体２を製造するバッグ本体製造ステップ（１０３）を行う。
【００３０】
次いで、前記後方本体生地１３の後方端部の両側に備えられた両側の各持ち手紐３の端部を前記前方本体生地１１の前方端部であるバッグ開放端部の両側に紐縫製部４で縫製する持ち手紐縫製ステップ（１０４）を介して布製バッグを製造するのである。
【００３１】
したがって、本発明は、バッグ本体２に両側の持ち手紐３を一体に製織して備え、各持ち手紐３の端部を一回のみの縫製によってバッグ本体２に固定して各持ち手紐３の縫製時間を短縮することにより、バッグの生産性を向上させることができる有用な発明である。
【００３２】
以下、このように構成された本発明に係る布製バッグについて説明する。
【００３３】
本発明に係る布製バッグは、上述した製造方法で製造でき、或いは別の製造方法でも製造できることを前提とする。
【００３４】
したがって、本発明に係る布製バッグは、製織されて前方に配置され、左右間隔を置いて内側縦折曲溝Ｇ１と外側縦折曲溝Ｇ２とが交互に形成される長方形状の前方本体生地１１を含み、前方本体生地１１の下部には、下部折畳部１２が延長されるように製織され、下部折畳部１２の後方には、前記前方本体生地１１と対称になるように左右間隔を置いて内側縦折曲溝Ｇ１と外側縦折曲溝Ｇ２とが交互に形成される長方形状の後方本体生地１３が延長されるように製織される、本体生地１を含む。
【００３５】
そして、本発明に係る布製バッグは、前記本体生地１の下部折畳部１２を折り畳み、折り畳まれた本体生地１の両側端部が側縫製部２１で縫製されたバッグ本体２を含み、前記後方本体生地１３の開放端部の両側から一体に延長されるように製織され、それぞれの端部が前記前方本体生地１１の開放端部の両側に紐縫製部４で縫製連結されるように備えられた両側の持ち手紐３を含む。
【００３６】
特に、前記下部折畳部１２は、前、後方本体生地１１、１３に互いに対向するように位置する内側縦折曲溝Ｇ１同士の間に縦方向に製織されるように形成される下部外側縦折曲溝Ｇ３と、前記前、後方本体生地１１、１３に互いに対向するように位置する外側縦折曲溝Ｇ２同士の間である互いに出会う位置に形成される内側折曲溝部Ｇ４と、各前記下部外側縦折曲溝Ｇ３の各端とすぐ隣に隣接する前記内側折曲溝部Ｇ４との間に形成される内側傾斜折曲溝Ｇ５とを含む。
【００３７】
従って、本発明に係る布製生地バッグを保管する場合には、バッグ本体２を左右方向に縮小されるように多段に折り畳むことができるようにすることにより、バッグを折り畳んで保管する場合にバッグ本体２の折畳体積を最小限に抑えるので、バッグの収納保管時にバッグ保管空間の使用体積を最小限に抑えることができる有用な発明である。
【００３８】
また、本発明は、バッグ本体２を左右方向に縮小されるように多段に折り畳む場合にバッグ本体２に縦方向に形成された内、外側縦折曲溝Ｇ１、Ｇ２が折り畳まれるようにすることにより、バッグを広げて使用する場合には、醜い任意の傾斜した折り畳み線が形成されることを防止することができるという利点も持つ。
【００３９】
以上、本発明の好適な実施形態を説明したが、本発明は、様々な変化、変更及び均等物を使用することができる。本発明は、前記実施形態を適切に変形させて同様に応用することができることが明らかである。よって、上述した記載内容は下記の特許請求の範囲の限界によって定められる発明の範囲を限定するものではない。
【００４０】
一方、本発明の詳細な説明では、具体的な実施形態について説明したが、本発明の範囲から逸脱することなく様々な変形が可能であることを、当該分野における通常の知識を有する者にとって自明であろう。
【符号の説明】
【００４１】
１    本体生地
１１    前方本体生地
１２    下部折畳部
１３    後方本体生地
Ｇ１    内側縦折曲溝
Ｇ２    外側縦折曲溝
Ｇ３    下部外側縦折曲溝
Ｇ４    内側折曲溝部
Ｇ５    内側傾斜折曲溝
２    バッグ本体
２１    側縫製部
３    持ち手紐
４    紐縫製部
【図１】
2021517833.tif 000003
【図２ａ】
2021517833.tif 000004
【図２ｂ】
2021517833.tif 000005
【図３】
2021517833.tif 000006
【図４】
2021517833.tif 000007
2021517833.tif 000008
【図５】
2021517833.tif 000009
【図６】
2021517833.tif 000010
【図７】
2021517833.tif 000011
【国際調査報告】
2021517833.tif 000012
2021517833.tif 000013
2021517833.tif 000014
2021517833.tif 000015